(57)【要約】【課題】携帯電話機用カメラの高画素化及び高機能化に伴ってカメラが大型化したとしても、携帯電話機のサイズの拡大を最小に抑える携帯電話機を提供する。【解決手段】  折り畳み式携帯電話機２００の上部筐体２１０を本体２１０Ａとカメラ搭載用筐体２１０Ｂとから構成する。カメラ搭載用筐体２１０Ｂは、本体２１０Ａの上面に接して、本体２１０Ａに対して回動可能であるように、配置する。カメラ２１２はカメラ搭載用筐体２１０Ｂの中に配置する。【選択図】    図１
2005294959.tif 000002
【特許請求の範囲】
【請求項１】
カメラを内蔵した移動式無線通信端末装置において、
前記移動式無線通信端末装置は、表示画面を有する本体と、前記本体に対して回動自在であるように前記本体に連結され、前記カメラが搭載されているカメラ搭載用筐体と、を備え、
前記本体は、前記表示画面と同一平面内に位置する辺と、前記表示画面に直交する辺とにより規定される第一の面を有しており、
前記本体と前記カメラ搭載用筐体とは前記第一の面と前記カメラ搭載用筐体の一つの面である第二の面とにおいてのみ相互に接しており、
前記カメラ搭載用筐体は、前記表示画面を含む平面と平行であり、かつ、前記カメラ搭載用筐体内の一点を通る回転軸の回りに前記本体に対して回動可能であり、
前記カメラは、前記カメラ搭載用筐体の内部において、前記カメラの軸線が前記回転軸に直交するように配置されており、
前記カメラ搭載用筐体を前記本体に整列させたときに前記表示画面と同一平面内に位置する辺と同一方向における前記カメラ搭載用筐体の長さは、前記表示画面に直交する辺と同一方向における前記本体の長さよりも大きいものであることを特徴とする移動式無線通信端末装置。
【請求項２】
前記本体と前記カメラ搭載用筐体とは前記回転軸と直交する面と平行な断面が相互に共通するものであることを特徴とする請求項１に記載の移動式無線通信端末装置。
【請求項３】
前記カメラ搭載用筐体は、前記回転軸の回りに、前記本体と整列されている状態から±９０度の範囲内を回動するものであることを特徴とする請求項１または２に記載の移動式無線通信端末装置。
【請求項４】
前記移動式無線通信端末装置は携帯電話機であることを特徴とする請求項１乃至３のいずれか一項に記載の移動式無線通信端末装置。
【請求項５】
前記回転軸は前記本体の中心を通ることを特徴とする請求項１乃至４のいずれか一項に記載の移動式無線通信端末装置。
【請求項６】
前記回転軸は前記本体の中心以外の点を通ることを特徴とする請求項１乃至４のいずれか一項に記載の移動式無線通信端末装置。
【請求項７】
前記移動式無線通信端末装置は、上部筐体と、前記上部筐体に対して回動自在であるように前記上部筐体に連結されている下部筐体と、からなり、前記本体及び前記カメラ搭載用筐体が前記上部筐体を構成することを特徴とする請求項１乃至６のいずれか一項に記載の移動式無線通信端末装置。
【発明の詳細な説明】
【技術分野】
【０００１】
本発明はカメラ機構を備えた携帯電話機その他の移動式無線通信端末装置に関する。
【背景技術】
【０００２】
近年、通常の無線通信機能の他に撮像機能を備えた携帯電話機、具体的には、カメラ機構を備えた携帯電話機が数多く提供されている（例えば、特許文献１及び２）。
【０００３】
図９は、そのようなカメラ機構を備えた従来の携帯電話機１００の斜視図である。
【０００４】
携帯電話機１００はいわゆる折り畳み式の携帯電話機であり、上部筐体１１０と、下部筐体１２０と、を備えている。上部筐体１１０と下部筐体１２０とはヒンジ機構１３０を介して相互に回動自在であるように連結されており、ヒンジ機構１３０の回りに方向Ａに上部筐体１１０を回動させると、上部筐体１１０と下部筐体１２０とが相互に閉じ、ヒンジ機構１３０の回りに方向Ｂに上部筐体１１０を回動させると、上部筐体１１０と下部筐体１２０とは相互に開く。
【０００５】
上部筐体１１０の内側面１１０ａ（以下、上部筐体１１０と下部筐体１２０とが相互に閉じるときに、上部筐体１１０と下部筐体１２０とが相互に接する面を「内側面」と呼び、「内側面」と反対側の面を「外側面」と呼ぶ）には、液晶表示装置の表示画面１１１が配置されており、さらに、上部筐体１１０の外側面１１０ｂにはカメラ（図示せず）の第一のレンズ１１２が露出し、内側面１１０ａには、カメラの第二のレンズ１１３が露出している。ユーザーは、第一のレンズ１１２を介して相手方の画像を撮像し、第二のレンズ１１３を介してユーザー自身の画像を撮像することができる。
【０００６】
下部筐体１２０の内側面１２０ａには、複数個のキー１２１が配列されており、ユーザーはこれらのキーを介して電話番号その他の所望のデータを携帯電話機１００に入力することができるようになっている。
【０００７】
ユーザーがキー１２１を介して入力したデータ、受信した電子メール、カメラが撮像した画像その他のデータは表示画面１１１に表示される。
【０００８】
以上のように、従来の携帯電話機１００においては、カメラは上部筐体１１０の内部に固定的に内蔵されていた。
【特許文献１】特開２００１−２４５２６７号公報（図１）
【特許文献２】特開２００３−２６４６１９号公報（図１）
【発明の開示】
【発明が解決しようとする課題】
【０００９】
近年では、携帯電話機用のカメラは急速に高画素化が進んでおり、１００万画素クラスのものが主流となってきている。１００万画素クラスとなると、カメラのセンサーが大きくなることと、フォーカス調整のためにセンサーとレンズとの間にある程度の距離が必要になることに起因して、カメラモジュールは大きくならざるを得なくなっている。
【００１０】
従来から、携帯電話機はデザイン上で小型化及び薄型化が進んでおり、上部筐体１１０の厚さＴ（図９参照）は約１０ｍｍ程度まで縮小されている。このため、１００万画素以下のクラスのカメラであれば、デザイン上問題なく上部筐体１１０の内部に収まっていたが、１００万画素以上のカメラとなると、モジュールサイズが大きくなってしまい、約１０ｍｍの厚さＴしか有しない上部筐体１１０の内部に収めることが難しくなってきている。
【００１１】
また、今後、携帯電話機用カメラの更なる高画素化及び高機能化が進むことが予想されるが、高画素化が進むだけであっても、カメラモジュールのサイズは大きくなり、カメラの高さは高くなる。従って、上部筐体１１０の長さＬ（図９参照）を大きくすることが必要となる。
【００１２】
さらに、携帯電話機用カメラの高機能化が進み、例えば、光学ズームが搭載されると、上部筐体１１０の内部でズーム用レンズを動かすスペースが必要となり、カメラの長さが大きくなる。従って、上部筐体１１０の厚さＴを大きくすることが必要となる。
【００１３】
しかしながら、カメラの大型化に伴って上部筐体１１０のサイズを大きくすることは携帯電話機の小型化及び薄型化に対する要求と相容れない。
【００１４】
本発明は、このような観点に照らしてなされたものであり、携帯電話機用カメラの高画素化及び高機能化に伴ってカメラが大型化したとしても、携帯電話機のサイズの拡大を最小に抑えることを可能にする携帯電話機を提供することを目的とする。
【課題を解決するための手段】
【００１５】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１６】
上記の目的を達成するため、本発明は、カメラを内蔵した移動式無線通信端末装置（２００、３００）において、前記移動式無線通信端末装置（２００、３００）は、表示画面（２１１）を有する本体（２１０Ａ）と、前記本体（２１０Ａ）に対して回動自在であるように前記本体（２１０Ａ）に連結され、前記カメラ（２１２）が搭載されているカメラ搭載用筐体（２１０Ｂ）と、を備え、前記本体（２１０Ａ）は、前記表示画面（２１１）と同一平面内に位置する辺（２１３ａ）と、前記表示画面（２１１）に直交する辺（２１３ｂ）とにより規定される第一の面（２１４）を有しており、前記本体（２１０Ａ）と前記カメラ搭載用筐体（２１０Ｂ）とは前記第一の面（２１４）と前記カメラ搭載用筐体（２１０Ｂ）の一つの面である第二の面（２１５）とにおいてのみ相互に接しており、前記カメラ搭載用筐体（２１０Ｂ）は、前記表示画面（２１１）を含む平面と平行であり、かつ、前記カメラ搭載用筐体（２１０Ｂ）内の一点を通る回転軸（２１６、３１６）の回りに前記本体（２１０Ａ）に対して回動可能であり、前記カメラ（２１２）は、前記カメラ搭載用筐体（２１０Ｂ）の内部において、前記カメラ（２１２）の軸線が前記回転軸（２１６、３１６）に直交するように配置されており、前記カメラ搭載用筐体（２１０Ｂ）を前記本体（２１０Ａ）に整列させたときに前記表示画面（２１１）と同一平面内に位置する辺（２１３ａ）と同一方向における前記カメラ搭載用筐体（２１０Ｂ）の長さは、前記表示画面（２１１）に直交する辺（２１３ｂ）と同一方向における前記本体（２１０Ａ）の長さよりも大きいものであることを特徴とする移動式無線通信端末装置（２００、３００）を提供する。
【００１７】
前記本体（２１０Ａ）と前記カメラ搭載用筐体（２１０Ｂ）とは前記回転軸（２１６、３１６）と直交する面と平行な断面が相互に共通するものであることが好ましい。
【００１８】
前記カメラ搭載用筐体（２１０Ｂ）は、前記回転軸（２１６、３１６）の回りに、前記本体（２１０Ａ）と整列されている状態から±９０度の範囲内を回動するように構成することができる。
【００１９】
前記移動式無線通信端末装置は、例えば、携帯電話機（２００、３００）として構成することができる。
【００２０】
前記回転軸（２１６、３１６）は前記本体（２１０Ａ）の中心を通ることが好ましい。
【００２１】
前記回転軸（２１６、３１６）は前記本体（２１０Ａ）の中心以外の点を通ることが好ましい。
【００２２】
前記移動式無線通信端末装置（２００、３００）は、上部筐体と、前記上部筐体に対して回動自在であるように前記上部筐体に連結されている下部筐体と、からなり、前記本体（２１０Ａ）及び前記カメラ搭載用筐体（２１０Ｂ）が前記上部筐体を構成するものとすることができる。
【発明の効果】
【００２３】
前述したように、今後、移動式無線通信端末装置用カメラの高画素化が進むと、カメラモジュールのサイズが大きくなり、カメラの高さは高くなるため、移動式無線通信端末装置の筐体の縦または横の長さを大きくすることが必要となる。また、移動式無線通信端末装置用カメラの高機能化が進み、例えば、光学ズームが搭載されると、移動式無線通信端末装置の筐体の内部でズーム用レンズを動かすスペースが必要となり、移動式無線通信端末装置の厚さを大きくすることが必要となる。これに対して、本発明に係る移動式無線通信端末装置によれば、カメラの高さやズーム用レンズを動かすスペースはカメラ搭載用筐体で吸収することができるため、移動式無線通信端末装置の長さ及び厚さを大きくする必要はない。このため、移動式無線通信端末装置用カメラの高画素化及び高機能化に伴い、カメラが大型化したとしても、本発明に係る移動式無線通信端末装置は、移動式無線通信端末装置の筐体の大きさ（特に、移動式無線通信端末装置の筐体の厚さ）を変えることなく、大型化したカメラを移動式無線通信端末装置の筐体に内蔵させることが可能である。
【００２４】
また、移動式無線通信端末装置の表示画面の大型化に伴い、移動式無線通信端末装置の筐体の長さを大きくする場合には、同時に、カメラ搭載用筐体の長さも大きくなるため、より高画素及びより高性能のカメラ、すなわち、より大きなカメラを搭載することが可能になる。
【発明を実施するための最良の形態】
【００２５】
（第一の実施形態）
図１は、本発明の第一の実施形態に係る移動式無線通信端末装置の斜視図である。本実施形態に係る移動式無線通信端末装置は、いわゆる折り畳み式の携帯電話機２００として構成されている。
【００２６】
本実施形態に係る携帯電話機２００は、上部筐体２１０と、下部筐体２２０と、を備えている。上部筐体２１０と下部筐体２２０とはヒンジ機構２３０を介して相互に回動自在であるように連結されており、ヒンジ機構２３０の回りに方向Ａに上部筐体２１０を回動させると、上部筐体２１０と下部筐体２２０とが相互に閉じ、ヒンジ機構２３０の回りに方向Ｂに上部筐体２１０を回動させると、上部筐体２１０と下部筐体２２０とは相互に開く。図１は、上部筐体２１０と下部筐体２２０とが相互に開いた状態を示している。
【００２７】
上部筐体２１０の内側面２１０ａには、液晶表示装置の表示画面２１１が配置されている。
【００２８】
下部筐体２２０の内側面２２０ａには、複数個のキー２２１が配列されており、ユーザーはこれらのキー２２１を介して電話番号その他の所望のデータを携帯電話機２００に入力することができるようになっている。
【００２９】
ユーザーがキー２２１を介して入力したデータ、受信した電子メール、後述するカメラが撮像した画像その他のデータは表示画面２１１に表示される。
【００３０】
本実施形態に係る携帯電話機２００における上部筐体２１０は、本体２１０Ａと、カメラ２１２が搭載されているカメラ搭載用筐体２１０Ｂと、から構成されている。
【００３１】
液晶表示装置の表示画面２１１は本体２１０Ａに配置されている。
【００３２】
本体２１０Ａは、表示画面２１１と同一平面内に位置する辺２１３ａと、表示画面２１１に直交する辺２１３ｂとを隣接する２辺として規定される矩形状の第一の面２１４を有しており、カメラ搭載用筐体２１０Ｂは、その底面として、第一の面２１４と同一の外形を有する第二の面２１５を有している。図１に示すように、本体２１０Ａとカメラ搭載用筐体２１０Ｂとは、第一の面２１４と第二の面２１５とにおいてのみ相互に接し合っている。
【００３３】
また、カメラ搭載用筐体２１０Ｂは、表示画面２１１を含む平面と平行であり、かつ、第二の面２１５の中心を通る回転軸２１６の回りに本体２１０Ａに対して回動可能であるように、本体２１０Ａに対して連結されている。
【００３４】
カメラ２１２は、カメラ搭載用筐体２１０Ｂの内部において、カメラ２１２の軸線が回転軸２１６に直交するように配置されている。さらに、カメラ２１２は、回転軸２１６から最も離れた位置、すなわち、カメラ搭載用筐体２１０Ｂの端部に配置されている。カメラ２１２のレンズはカメラ搭載用筐体２１０Ｂの側面２１０Ｂａから露出している。
【００３５】
さらに、本体２１０Ａとカメラ搭載用筐体２１０Ｂとは回転軸２１６と直交する面と平行な断面が相互に同一である。すなわち、図１に示すように、本体２１０Ａの幅（図１の左右方向における長さ、すなわち、辺２１３ａの長さ）をＳ、本体２１０Ａの厚さ（図１の紙面の表面から裏面に向かう方向における長さ、すなわち、辺２１３ｂの長さ）をＴとすると、カメラ搭載用筐体２１０Ｂの幅はＳに等しく、かつ、カメラ搭載用筐体２１０Ｂの厚さはＴに等しい。従って、本体２１０Ａとカメラ搭載用筐体２１０Ｂとを相互に隣接させて連結させると、図１に示すように、本体２１０Ａとカメラ搭載用筐体２１０Ｂとの間に段差を生じることなく、形状が連続する。
【００３６】
本実施形態に係る携帯電話機２００においては、本体２１０Ａ及びカメラ搭載用筐体２１０Ｂの幅Ｓは本体２１０Ａ及びカメラ搭載用筐体２１０Ｂの厚さＴよりも大きく設定されている（Ｓ＞Ｔ）。
【００３７】
前述のように、カメラ搭載用筐体２１０Ｂは回転軸２１６の回りに本体２１０Ａに対して回動可能であるように構成されている。図１に示すカメラ搭載用筐体２１０Ｂの位置、すなわち、カメラ搭載用筐体２１０Ｂが本体２１０Ａと整列している位置を基準位置とすると、カメラ搭載用筐体２１０Ｂは、カメラ搭載用筐体２１０Ｂの上方から見て、反時計方向Ｘ（図１参照）に基準位置から図２に示す第一の位置まで９０度回動することが可能である。さらに、カメラ搭載用筐体２１０Ｂは、カメラ搭載用筐体２１０Ｂの上方から見て、時計方向Ｙ（図１参照）に基準位置から図３に示す第二の位置まで９０度回動することが可能である。すなわち、カメラ２１２は図１に示す基準位置を中心として１８０度の回転角度を有している。
【００３８】
カメラ搭載用筐体２１０Ｂが図２に示す第一の位置にある場合には、ユーザーはカメラ２１２でユーザー自身の画像を撮像することが可能であり、カメラ搭載用筐体２１０Ｂが図３に示す第二の位置にある場合には、ユーザーはカメラ２１２で他人の画像を撮像することができる。
【００３９】
図４は、本実施形態に係る携帯電話機２００の内部回路の構造の一例を示すブロック図である。
【００４０】
本実施形態に係る携帯電話機２００は、音声データ及び通信データを送受信するアンテナ２２２（図１乃至３には図示せず）と、音声データまたは通信データの送受信を行う無線送受信部２２３と、音声データの処理を行うベースバンド処理部２２４と、受話器及び送話器２２５と、これらの通信系統機器２２３、２２４、２２５の制御を行う通信系統制御部２２６と、音楽再生やゲームなどの非通信系統のアプリケーションデバイス２２８と、各種データを入力するためのキー２２１と、液晶表示装置２１１Ａ（図１乃至３には、この液晶表示装置の表示画面２１１が示されている）と、データを記憶しておくためのメモリ２３１と、着信音を鳴らすスピーカ２３２と、カメラ２１２と、これらの非通信系統機器２２８、２２１、２１１、２３２、２１２の制御を行う非通信系統制御部２２７と、通信系統機器及び非通信系統機器の各ブロックに対する電流供給の制御を行う電源制御回路２３３と、電源制御回路２３３に対して電流を供給する電池２３４（例えば、リチウムイオン電池）と、電池２３４への充電を行う充電回路２３５と、から構成されている。
【００４１】
図中の太線の矢印は電流の流れを、細線の矢印は信号の流れをそれぞれ示している。
【００４２】
図５は、携帯電話機２００の内部とカメラ２１２との接続状況を示す概略図である。
【００４３】
図４に示した携帯電話機２００の構成要素のうち、カメラ２１２の駆動回路である非通信系統制御部２２７は基板２４０上に集積して形成されている。カメラ２１２と基板２４０とはフレキシブルコード２４１を介して接続されている。このため、カメラ搭載用筐体２１０Ｂが回転軸２１６の回りに回動しても、カメラ搭載用筐体２１０Ｂの回動に応じてフレキシブルコード２４１が撓むことにより、カメラ搭載用筐体２１０Ｂに内蔵されているカメラ２１２と基板２４０との間の電気的接続は維持される。
【００４４】
以下、本実施形態に係る携帯電話機２００におけるカメラ２１２を用いて画像を撮像する場合の動作を説明する。
【００４５】
カメラ２１２を用いない場合（例えば、通話中の場合）または携帯電話機２００の横方向の画像を撮像する場合には、カメラ搭載用筐体２１０Ｂは図１に示す基準位置に配置される。
【００４６】
ユーザーがユーザー自身の画像を撮像する場合には、カメラ搭載用筐体２１０Ｂを回転軸２１６の回りに反時計方向Ｘに回動させ、カメラ搭載用筐体２１０Ｂを図２に示す第一の位置に移行させる。
【００４７】
また、ユーザーが他人の画像を撮像する場合には、カメラ搭載用筐体２１０Ｂを回転軸２１６の回りに時計方向Ｙに回動させ、カメラ搭載用筐体２１０Ｂを図３に示す第二の位置に移行させる。
【００４８】
前述したように、今後、携帯電話機用カメラの高画素化が進むと、カメラモジュールのサイズが大きくなり、カメラの高さは高くなるため、上部筐体２１０の長さＬ（図９参照）を大きくすることが必要となる。また、携帯電話機用カメラの高機能化が進み、例えば、光学ズームが搭載されると、上部筐体２１０の内部でズーム用レンズを動かすスペースが必要となり、上部筐体２１０の厚さＴを大きくすることが必要となる。
【００４９】
本実施形態に係る携帯電話機２００によれば、カメラの高さやズーム用レンズを動かすスペースは長さＳを有するカメラ搭載用筐体２１０Ｂで吸収することができるため、上部筐体２１０の幅Ｓ及び厚さＴを大きくする必要はない。このため、携帯電話機用カメラの高画素化及び高機能化に伴い、カメラが大型化したとしても、本実施形態に係る携帯電話機２００は、上部筐体２１０の大きさ（特に、上部筐体２１０の厚さＴ）を変えることなく、大型化したカメラを上部筐体２１０に内蔵させることが可能である。
【００５０】
また、表示画面２１１の大型化に伴い、上部筐体２１０の幅Ｓを大きくする場合には、同時に、カメラ搭載用筐体２１０Ｂの長さも大きくなるため、より高画素及びより高性能のカメラ、すなわち、より大きなカメラを搭載することが可能になる。
【００５１】
（第二の実施形態）
図６は、本発明の第二の実施形態に係る移動式無線通信端末装置の斜視図である。本実施形態に係る移動式無線通信端末装置は、第一の実施形態と同様に、折り畳み式携帯電話機３００として構成されている。
【００５２】
本実施形態に係る携帯電話機３００は、第一の実施形態に係る携帯電話機２００と比較して、カメラ搭載用筐体２１０Ｂの回動軸の位置が異なっている。すなわち、第一の実施形態に係る携帯電話機２００においては、カメラ搭載用筐体２１０Ｂの回動軸２１６はカメラ搭載用筐体２１０Ｂの中心（または、第一の面２１４の中心）を通過するように設定されていたが、本実施形態に係る携帯電話機３００においては、カメラ搭載用筐体２１０Ｂの回動軸３１６はカメラ搭載用筐体２１０Ｂの中心を外れた位置、具体的には、図６に示すように、カメラ搭載用筐体２１０Ｂの端部に近い位置を通過するように設定されている。
【００５３】
このため、カメラ搭載用筐体２１０Ｂは、カメラ搭載用筐体２１０Ｂの上方から見て、反時計方向Ｘ（図６参照）に基準位置から図７に示す第一の位置まで９０度回動することが可能であり、さらに、カメラ搭載用筐体２１０Ｂは、カメラ搭載用筐体２１０Ｂの上方から見て、時計方向Ｙ（図６参照）に基準位置から図８に示す第二の位置まで９０度回動することが可能である。すなわち、カメラ２１２は、第一の実施形態の場合と同様に、図６に示す基準位置を中心として１８０度の回転角度を有している。
【００５４】
第一の実施形態の場合には、カメラ２１２が第一の位置（図２に示す位置）及び第二の位置（図３に示す位置）にある場合、カメラ２１２が表示画面２１１の中央上方に位置することになるため、ユーザーによっては、表示画面２１１に表示されたデータを見る場合に、気になることがあるが、本実施形態の場合には、図７及び図８に示すように、カメラ２１２が第一の位置及び第二の位置にある場合、カメラ２１２は表示画面２１１の外縁の上方に位置することになるため、ユーザーが表示画面２１１に表示されたデータを見る場合に、気になることはない。
【００５５】
上述の第一及び第二の実施形態においては、本体１０Ａとカメラ搭載用筐体２１０Ｂとは同一の断面形状、すなわち、同一の幅Ｓ及び同一の厚さＴを有するものとしているが、本体１０Ａとカメラ搭載用筐体２１０Ｂとは必ずしも同一の断面形状を有している必要はない。本体１０Ａとカメラ搭載用筐体２１０Ｂとは相互に異なる断面形状を有するものとすることも可能である。例えば、カメラ搭載用筐体２１０Ｂの幅Ｓを本体１０Ａの幅Ｓよりも大きく設定することが可能であり、その場合には、例えば、ズーム用レンズを動かすスペース（または、距離）をより大きくすることができる。
【００５６】
また、上述の第一及び第二の実施形態においては、カメラ搭載用筐体２１０Ｂは図１または図６に示す基準位置を中心として時計方向及び反時計方向にそれぞれ９０度の範囲内で回動可能であるように構成されているが、回動角度は９０度に限定されるものではなく、９０度よりも小さい角度または９０度よりも大きい角度を任意に設定することが可能である。
【００５７】
また、上述の第一及び第二の実施形態においては、移動式無線通信端末装置の一例として、携帯電話機２００、３００について説明したが、本発明は、携帯電話機の他に、ＰＤＡ（Ｐｅｒｓｏｎａｌ  Ｄｉｇｉｔａｌ  Ａｓｓｉｓｔａｎｔ）その他の携帯型通信装置に適用することが可能である。
【００５８】
また、上述の第一及び第二の実施形態においては、カメラ搭載用筐体２１０Ｂは本体１０Ａの上方（すなわち、ヒンジ機構２３０から最も離れた面の上）に配置されているが、カメラ搭載用筐体２１０Ｂの配置位置は本体１０Ａの上方には限定されない。必要に応じて、本体１０Ａの側辺２１０Ａａ（図１参照）に接するようにカメラ搭載用筐体２１０Ｂを配置することも可能である。本体１０Ａの高さＬ（図９参照）が本体１０Ａの幅Ｓよりも大きい場合には、カメラ搭載用筐体２１０Ｂを本体１０Ａの側辺２１０Ａａ上に配置することにより、ズーム用レンズを動かすスペース（または、距離）を第一及び第二の実施形態の場合よりも大きくすることができる。
【００５９】
また、上述の第一及び第二の実施形態においては、本発明をいわゆる折り畳み式の携帯電話機２００、３００に適用した例を示したが、本発明の適用対象は折り畳み式携帯電話機には限定されない。本発明は、折り畳み式ではないボックス型の携帯電話機に適用することも可能である。
【図面の簡単な説明】
【００６０】
【図１】本発明の第一の実施形態に係る携帯電話機の斜視図である。
【図２】本発明の第一の実施形態に係る携帯電話機の斜視図である。
【図３】本発明の第一の実施形態に係る携帯電話機の斜視図である。
【図４】本発明の第一の実施形態に係る携帯電話機の内部回路の構造を示すブロック図である。
【図５】本発明の第一の実施形態に係る携帯電話機におけるカメラと本体との電気的接続関係を示す概略的な斜視図である。
【図６】本発明の第二の実施形態に係る携帯電話機の斜視図である。
【図７】本発明の第二の実施形態に係る携帯電話機の斜視図である。
【図８】本発明の第二の実施形態に係る携帯電話機の斜視図である。
【図９】従来の携帯電話機の斜視図である。
【符号の説明】
【００６１】
２００  第一の実施形態に係る移動式無線通信端末装置としての携帯電話機
２１０  上部筐体
２１０Ａ  本体
２１０Ｂ  カメラ搭載用筐体
２１１  表示画面
２１１Ａ  液晶表示装置
２１２  カメラ
２１４  第一の面
２１５  第二の面
２１６  回転軸
２２０  下部筐体
２２１  キー
２４１  フレキシブルコード
２２２  アンテナ
２２３  無線送受信部
２２４  ベースバンド処理部
２２５  受話器及び送話器
２２６  通信系統制御部
２２８  アプリケーションデバイス
２３１  メモリ
２３２  スピーカ
２２７  非通信系統制御部
２３３  電源制御回路
２３４  電池
２３５  充電回路
２３０  ヒンジ機構
２４０  基板
３００  第二の実施形態に係る移動式無線通信端末装置としての携帯電話機
３１６  回転軸
【図１】
2005294959.tif 000003
【図２】
2005294959.tif 000004
【図３】
2005294959.tif 000005
【図４】
2005294959.tif 000006
【図５】
2005294959.tif 000007
【図６】
2005294959.tif 000008
【図７】
2005294959.tif 000009
【図８】
2005294959.tif 000010
【図９】
2005294959.tif 000011